【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
他の装置で実行される検索処理に利用されるメタデータを生成する情報処理装置において、
放送信号を取得する放送信号取得手段と、
前記放送信号取得手段により取得された前記放送信号に含まれる音声信号をデコードする音声データデコード手段と、
前記放送信号取得手段により取得された前記放送信号から、ユーザにより表示するか否かを選択することが可能な字幕データを抽出してデコードする字幕データデコード手段と、
前記音声データデコード手段によりデコードされた音声データと前記字幕データデコード手段によりデコードされた前記字幕データに対応するテキストデータのそれぞれの開始時刻を比較し、比較結果を基に、前記テキストデータにタイムコードを付加するタイムコード付加手段と
を備えることを特徴とする情報処理装置。
【請求項２】
前記放送信号取得手段により取得された前記放送信号から、前記放送信号の番組を固有に区別可能な区別情報を取得する区別情報取得手段と、
前記タイムコード付加手段により前記タイムコードが付加された前記テキストデータに、前記区別情報取得手段により取得された前記区別情報を付加する区別情報付加手段と
を更に備えることを特徴とする請求項１に記載の情報処理装置。
【請求項３】
前記タイムコード付加手段により前記タイムコードが付加された前記テキストデータを暗号化する暗号化手段
を更に備えることを特徴とする請求項１に記載の情報処理装置。
【請求項４】
他の装置で実行される検索処理に利用されるメタデータを生成する情報処理装置の情報処理方法において、
放送信号を取得する放送信号取得ステップと、
前記放送信号から、ユーザにより表示するか否かを選択することが可能な字幕データを抽出してデコードする字幕データデコードステップと、
前記字幕データデコードステップの処理によりデコードされた前記字幕データと、前記放送信号取得ステップの処理により取得された前記放送信号に含まれる音声信号とのそれぞれの開始時刻を比較し、比較結果を基に、前記字幕データに対応するテキストデータにタイムコードを付加するタイムコード付加ステップと
を含むことを特徴とする情報処理方法。
【請求項５】
他の装置で実行される検索処理に利用されるメタデータを生成する処理をコンピュータに実行させるためのプログラムであって、
放送信号を取得する放送信号取得ステップと、
前記放送信号から、ユーザにより表示するか否かを選択することが可能な字幕データを抽出してデコードする字幕データデコードステップと、
前記字幕データデコードステップの処理によりデコードされた前記字幕データと、前記放送信号取得ステップの処理により取得された前記放送信号に含まれる音声信号とのそれぞれの開始時刻を比較し、比較結果を基に、前記字幕データに対応するテキストデータにタイムコードを付加するタイムコード付加ステップと
を含むことを特徴とする処理をコンピュータに実行させるためのプログラム。
【請求項６】
放送信号を取得して処理する第１の情報処理装置と、
テキスト情報を検索キーとして、録画データを検索する第２の情報処理装置と
によって構成される情報処理システムにおいて、
前記第１の情報処理装置は、
前記放送信号を取得する第１の放送信号取得手段と、
前記第１の放送信号取得手段により取得された前記放送信号から、前記放送信号の番組を固有に区別可能な区別情報を取得する第１の区別情報取得手段と、
前記第１の放送信号取得手段により取得された前記放送信号に、第１の時刻情報と、前記第１の区別情報取得手段により取得された前記区別情報とを付加して前記録画データを生成する情報付加手段と
を備え、
前記第２の情報処理装置は、
前記録画データの番組を区別するための前記区別情報、前記録画データに関するテキストデータ、および、前記テキストデータに対応する第２の時刻情報を含む前記メタデータを記憶するメタデータ記憶手段と、
前記第１の時刻情報と前記区別情報とが付加された前記録画データの記憶を制御する録画データ記憶制御手段と
を備えることを特徴とする情報処理システム。
【請求項７】
ユーザの操作入力を受ける操作入力手段と、
前記操作入力手段により前記ユーザから入力された、検索を実行する番組を指定する情報および検索キーとなるテキスト情報と、前記メタデータ記憶手段により記憶された前記メタデータとのマッチング処理を実行して、前記検索キーとなるテキスト情報に対応する前記第２の時刻情報を検出するマッチング処理手段と、
前記録画データ記憶制御手段により記憶が制御されている前記録画データから、前記マッチング処理手段により検出された前記第２の時刻情報に対応する記録位置を検索し、検索された記録位置から開始される前記録画データを読み出す検索手段と
を備えることを特徴とする請求項６に記載の情報処理システム。
【請求項８】
放送信号を取得して処理する第１の情報処理装置と、
テキスト情報を検索キーとして、録画データを検索する第２の情報処理装置と
によって構成される情報処理システムにおいて、
前記第１の情報処理装置は、
前記放送信号を取得する第１の放送信号取得手段と、
前記第１の放送信号取得手段により取得された前記放送信号から、前記放送信号の番組を固有に区別可能な区別情報を取得する第１の区別情報取得手段と、
前記第１の放送信号取得手段により取得された前記放送信号に、第１の時刻情報と、前記第１の区別情報取得手段により取得された前記区別情報とを付加して前記録画データを生成する情報付加手段と
を備え、
前記第２の情報処理装置は、
前記第１の時刻情報と前記区別情報とが付加された前記録画データの記憶を制御する録画データ記憶制御手段と、
暗号化されたメタデータを取得するメタデータ取得手段と、
暗号化されたメタデータを復号するために用いられる復号鍵を取得する復号鍵取得手段と、
前記メタデータ取得手段により取得された暗号化された前記メタデータを、前記復号鍵取得手段により取得された前記復号鍵を用いて復号する復号処理手段と、
前記復号処理手段により復号された、前記録画データの番組を区別するための前記区別情報、前記録画データに関するテキストデータ、および、前記テキストデータに対応する第２の時刻情報を含む前記メタデータを記憶するメタデータ記憶手段と、
ユーザの操作入力を受ける操作入力手段と、
前記操作入力手段により前記ユーザから入力された、検索を実行する番組を指定する情報および検索キーとなるテキスト情報と、前記メタデータ記憶手段により記憶された前記メタデータとのマッチング処理を実行して、前記検索キーとなるテキスト情報に対応する前記第２の時刻情報を検出するマッチング処理手段と、
前記録画データ記憶制御手段により記憶が制御されている前記録画データから、前記マッチング処理手段により検出された前記第２の時刻情報に対応する記録位置を検索し、検索された記録位置から開始される前記録画データを読み出す検索手段と
を備えることを特徴とする情報処理システム。
【請求項９】
テキスト情報を検索キーとして、録画データを検索する第２の情報処理装置で実行される検索処理に利用されるメタデータを生成する第３の情報処理装置によって構成される情報処理システムにおいて、
前記第２の情報処理装置は、
第１の時刻情報と、放送信号を取得して処理する第１の情報処理装置で取得され処理される放送信号の番組を固有に区別可能な区別情報とが付加された前記録画データの記憶を制御する録画データ記憶制御手段と、
暗号化された前記メタデータを取得するメタデータ取得手段と、
暗号化された前記メタデータを復号するために用いられる復号鍵を取得する復号鍵取得手段と、
前記メタデータ取得手段により取得された暗号化された前記メタデータを、前記復号鍵取得手段により取得された前記復号鍵を用いて復号する復号処理手段と、
前記復号処理手段により復号された、前記録画データの番組を区別するための前記区別情報、前記録画データに関するテキストデータ、および、前記テキストデータに対応する第２の時刻情報を含む前記メタデータを記憶するメタデータ記憶手段と、
ユーザの操作入力を受ける操作入力手段と、
前記操作入力手段により前記ユーザから入力された、検索を実行する番組を指定する情報および検索キーとなるテキスト情報と、前記メタデータ記憶手段により記憶された前記メタデータとのマッチング処理を実行して、前記検索キーとなるテキスト情報に対応する前記第２の時刻情報を検出するマッチング処理手段と、
前記録画データ記憶制御手段により記憶が制御されている前記録画データから、前記マッチング処理手段により検出された前記第２の時刻情報に対応する記録位置を検索し、検索された記録位置から開始される前記録画データを読み出す検索手段と
を備え、
前記第３の情報処理装置は、
前記放送信号を取得する第２の放送信号取得手段と、
前記第２の放送信号取得手段により取得された前記放送信号に含まれる音声信号をデコードする音声データデコード手段と、
前記第２の放送信号取得手段により取得された前記放送信号から、前記放送信号の番組を固有に区別可能な前記区別情報を取得する第２の区別情報取得手段と、
前記第２の放送信号取得手段により取得された前記放送信号から、ユーザにより表示するか否かを選択することが可能な字幕データを抽出してデコードする字幕データデコード手段と、
前記音声データデコード手段によりデコードされた音声データと前記字幕データデコード手段によりデコードされた前記字幕データに対応するテキストデータのそれぞれの開始時刻を比較し、比較結果を基に、前記テキストデータにタイムコードを付加するタイムコード付加手段と、
前記タイムコード付加手段により前記タイムコードが付加された前記テキストデータに、前記第２の区別情報取得手段により取得された前記区別情報を付加して、前記メタデータを生成するメタデータ生成手段と、
前記メタデータ生成手段により生成された前記メタデータを暗号化する暗号化手段と
を備えることを特徴とする情報処理システム。
【請求項１０】
テキスト情報を検索キーとして、録画データを検索する第２の情報処理装置で実行される検索処理に利用されるメタデータを復号する復号鍵を供給する第４の情報処理装置によって構成される情報処理システムにおいて、
前記第２の情報処理装置は、
第１の時刻情報と、放送信号を取得して処理する第１の情報処理装置で取得され処理される放送信号の番組を固有に区別可能な区別情報とが付加された前記録画データの記憶を制御する録画データ記憶制御手段と、
暗号化された前記メタデータを取得するメタデータ取得手段と、
暗号化された前記メタデータを復号するために用いられる復号鍵を取得する復号鍵取得手段と、
前記メタデータ取得手段により取得された暗号化された前記メタデータを、前記復号鍵取得手段により取得された前記復号鍵を用いて復号する復号処理手段と、
前記復号処理手段により復号された、前記録画データの番組を区別するための前記区別情報、前記録画データに関するテキストデータ、および、前記テキストデータに対応する第２の時刻情報を含む前記メタデータを記憶するメタデータ記憶手段と、
ユーザの操作入力を受ける操作入力手段と、
前記操作入力手段により前記ユーザから入力された、検索を実行する番組を指定する情報および検索キーとなるテキスト情報と、前記メタデータ記憶手段により記憶された前記メタデータとのマッチング処理を実行して、前記検索キーとなるテキスト情報に対応する前記第２の時刻情報を検出するマッチング処理手段と、
前記録画データ記憶制御手段により記憶が制御されている前記録画データから、前記マッチング処理手段により検出された前記第２の時刻情報に対応する記録位置を検索し、検索された記録位置から開始される前記録画データを読み出す検索手段と
を備え、
前記第４の情報処理装置は、
前記第２の情報処理装置から、前記ユーザの認証に関する情報を取得する認証情報取得手段と、
前記ユーザの登録情報の記憶を制御する登録情報記憶制御手段と、
前記認証情報取得手段により取得された前記ユーザの認証に関する情報、および、前記登録情報記憶制御手段により記憶が制御されている前記ユーザの登録情報を基に、認証処理を実行する認証処理手段と、
前記認証処理手段により前記ユーザが正しく認証された場合、前記第２の情報処理装置への、前記メタデータを復号する前記復号鍵の供給を制御する復号鍵供給制御手段と
を備えることを特徴とする情報処理システム。
【請求項１１】
放送信号を取得して処理する第１の情報処理装置と、
テキスト情報を検索キーとして、録画データを検索する第２の情報処理装置と、
前記第２の情報処理装置で実行される検索処理に利用されるメタデータを生成する第３の情報処理装置と
によって構成される情報処理システムにおいて、
前記第１の情報処理装置は、
前記放送信号を取得する第１の放送信号取得手段と、
前記第１の放送信号取得手段により取得された前記放送信号から、前記放送信号の番組を固有に区別可能な区別情報を取得する第１の区別情報取得手段と、
前記第１の放送信号取得手段により取得された前記放送信号に、第１の時刻情報と、前記第１の区別情報取得手段により取得された前記区別情報とを付加して前記録画データを生成する情報付加手段と
を備え、
前記第２の情報処理装置は、
前記第１の時刻情報と前記区別情報とが付加された前記録画データの記憶を制御する録画データ記憶制御手段と、
暗号化された前記メタデータを取得するメタデータ取得手段と、
暗号化された前記メタデータを復号するために用いられる復号鍵を取得する復号鍵取得手段と、
前記メタデータ取得手段により取得された暗号化された前記メタデータを、前記復号鍵取得手段により取得された前記復号鍵を用いて復号する復号処理手段と、
前記復号処理手段により復号された、前記録画データの番組を区別するための前記区別情報、前記録画データに関するテキストデータ、および、前記テキストデータに対応する第２の時刻情報を含む前記メタデータを記憶するメタデータ記憶手段と、
ユーザの操作入力を受ける操作入力手段と、
前記操作入力手段により前記ユーザから入力された、検索を実行する番組を指定する情報および検索キーとなるテキスト情報と、前記メタデータ記憶手段により記憶された前記メタデータとのマッチング処理を実行して、前記検索キーとなるテキスト情報に対応する前記第２の時刻情報を検出するマッチング処理手段と、
前記録画データ記憶制御手段により記憶が制御されている前記録画データから、前記マッチング処理手段により検出された前記第２の時刻情報に対応する記録位置を検索し、検索された記録位置から開始される前記録画データを読み出す検索手段と
を備え、
前記第３の情報処理装置は、
前記放送信号を取得する第２の放送信号取得手段と、
前記第２の放送信号取得手段により取得された前記放送信号に含まれる音声信号をデコードする音声データデコード手段と、
前記第２の放送信号取得手段により取得された前記放送信号から、前記放送信号の番組を固有に区別可能な前記区別情報を取得する第２の区別情報取得手段と、
前記第２の放送信号取得手段により取得された前記放送信号から、ユーザにより表示するか否かを選択することが可能な字幕データを抽出してデコードする字幕データデコード手段と、
前記音声データデコード手段によりデコードされた音声データと前記字幕データデコード手段によりデコードされた前記字幕データに対応するテキストデータのそれぞれの開始時刻を比較し、比較結果を基に、前記テキストデータにタイムコードを付加するタイムコード付加手段と、
前記タイムコード付加手段により前記タイムコードが付加された前記テキストデータに、前記第２の区別情報取得手段により取得された前記区別情報を付加して、前記メタデータを生成するメタデータ生成手段と、
前記メタデータ生成手段により生成された前記メタデータを暗号化する暗号化手段と
を備えることを特徴とする情報処理システム。
【請求項１２】
放送信号を取得して処理する第１の情報処理装置と、
テキスト情報を検索キーとして、録画データを検索する第２の情報処理装置と、
前記第２の情報処理装置で実行される検索処理に利用されるメタデータを生成する第３の情報処理装置と、
前記第２の情報処理装置で実行される検索処理に利用される前記メタデータを復号する復号鍵を供給する第４の情報処理装置と
によって構成される情報処理システムにおいて、
前記第１の情報処理装置は、
前記放送信号を取得する第１の放送信号取得手段と、
前記第１の放送信号取得手段により取得された前記放送信号から、前記放送信号の番組を固有に区別可能な区別情報を取得する第１の区別情報取得手段と、
前記第１の放送信号取得手段により取得された前記放送信号に、第１の時刻情報と、前記第１の区別情報取得手段により取得された前記区別情報とを付加して前記録画データを生成する情報付加手段と
を備え、
前記第２の情報処理装置は、
前記第１の時刻情報と前記区別情報とが付加された前記録画データの記憶を制御する録画データ記憶制御手段と、
暗号化された前記メタデータを取得するメタデータ取得手段と、
暗号化された前記メタデータを復号するために用いられる前記復号鍵を取得する復号鍵取得手段と、
前記メタデータ取得手段により取得された暗号化された前記メタデータを、前記復号鍵取得手段により取得された前記復号鍵を用いて復号する復号処理手段と、
前記復号処理手段により復号された、前記録画データの番組を区別するための前記区別情報、前記録画データに関するテキストデータ、および、前記テキストデータに対応する第２の時刻情報を含む前記メタデータを記憶するメタデータ記憶手段と、
ユーザの操作入力を受ける操作入力手段と、
前記操作入力手段により前記ユーザから入力された、検索を実行する番組を指定する情報および検索キーとなるテキスト情報と、前記メタデータ記憶手段により記憶された前記メタデータとのマッチング処理を実行して、前記検索キーとなるテキスト情報に対応する前記第２の時刻情報を検出するマッチング処理手段と、
前記録画データ記憶制御手段により記憶が制御されている前記録画データから、前記マッチング処理手段により検出された前記第２の時刻情報に対応する記録位置を検索し、検索された記録位置から開始される前記録画データを読み出す検索手段と
を備え、
前記第３の情報処理装置は、
前記放送信号を取得する第２の放送信号取得手段と、
前記第２の放送信号取得手段により取得された前記放送信号に含まれる音声信号をデコードする音声データデコード手段と、
前記第２の放送信号取得手段により取得された前記放送信号から、前記放送信号の番組を固有に区別可能な前記区別情報を取得する第２の区別情報取得手段と、
前記第２の放送信号取得手段により取得された前記放送信号から、ユーザにより表示するか否かを選択することが可能な字幕データを抽出してデコードする字幕データデコード手段と、
前記音声データデコード手段によりデコードされた音声データと前記字幕データデコード手段によりデコードされた前記字幕データに対応するテキストデータのそれぞれの開始時刻を比較し、比較結果を基に、前記テキストデータにタイムコードを付加するタイムコード付加手段と、
前記タイムコード付加手段により前記タイムコードが付加された前記テキストデータに、前記第２の区別情報取得手段により取得された前記区別情報を付加して、前記メタデータを生成するメタデータ生成手段と、
前記メタデータ生成手段により生成された前記メタデータを暗号化する暗号化手段と
を備え、
前記第４の情報処理装置は、
前記第２の情報処理装置から、前記ユーザの認証に関する情報を取得する認証情報取得手段と、
前記ユーザの登録情報の記憶を制御する登録情報記憶制御手段と、
前記認証情報取得手段により取得された前記ユーザの認証に関する情報、および、前記登録情報記憶制御手段により記憶が制御されている前記ユーザの登録情報を基に、認証処理を実行する認証処理手段と、
前記認証処理手段により前記ユーザが正しく認証された場合、前記第２の情報処理装置への、前記メタデータを復号する前記復号鍵の供給を制御する復号鍵供給制御手段と
を備えることを特徴とする情報処理システム。
【手続補正２】
【補正対象書類名】明細書
【補正対象項目名】００２２
【補正方法】変更
【補正の内容】
【００２２】
本発明の情報処理システムは、放送信号を取得して処理する第１の情報処理装置と、テキスト情報を検索キーとして、録画データを検索する第２の情報処理装置とによって構成される情報処理システムにおいて、第１の情報処理装置は、放送信号を取得する第１の放送信号取得手段と、第１の放送信号取得手段により取得された放送信号から、放送信号の番組を固有に区別可能な区別情報を取得する第１の区別情報取得手段と、第１の放送信号取得手段により取得された放送信号に、第１の時刻情報と、第１の区別情報取得手段により取得された区別情報とを付加して録画データを生成する情報付加手段とを備え、第２の情報処理装置は、録画データの番組を区別するための区別情報、録画データに関するテキストデータ、および、テキストデータに対応する第２の時刻情報を含むメタデータを記憶するメタデータ記憶手段と、第１の時刻情報と区別情報とが付加された録画データの記憶を制御する録画データ記憶制御手段とを備えることを特徴とする。
ユーザの操作入力を受ける操作入力手段と、操作入力手段によりユーザから入力された、検索を実行する番組を指定する情報および検索キーとなるテキスト情報と、メタデータ記憶手段により記憶されたメタデータとのマッチング処理を実行して、検索キーとなるテキスト情報に対応する第２の時刻情報を検出するマッチング処理手段と、録画データ記憶制御手段により記憶が制御されている録画データから、マッチング処理手段により検出された第２の時刻情報に対応する記録位置を検索し、検索された記録位置から開始される録画データを読み出す検索手段とを更に備えさせるようにすることができる。
本発明の別の情報処理システムは、放送信号を取得して処理する第１の情報処理装置と、テキスト情報を検索キーとして、録画データを検索する第２の情報処理装置とによって構成される情報処理システムにおいて、第１の情報処理装置は、放送信号を取得する第１の放送信号取得手段と、第１の放送信号取得手段により取得された放送信号から、放送信号の番組を固有に区別可能な区別情報を取得する第１の区別情報取得手段と、第１の放送信号取得手段により取得された放送信号に、第１の時刻情報と、第１の区別情報取得手段により取得された区別情報とを付加して録画データを生成する情報付加手段とを備え、第２の情報処理装置は、第１の時刻情報と区別情報とが付加された録画データの記憶を制御する録画データ記憶制御手段と、暗号化されたメタデータを取得するメタデータ取得手段と、暗号化されたメタデータを復号するために用いられる復号鍵を取得する復号鍵取得手段と、メタデータ取得手段により取得された暗号化されたメタデータを、復号鍵取得手段により取得された復号鍵を用いて復号する復号処理手段と、復号処理手段により復号された、録画データの番組を区別するための区別情報、録画データに関するテキストデータ、および、テキストデータに対応する第２の時刻情報を含むメタデータを記憶するメタデータ記憶手段と、ユーザの操作入力を受ける操作入力手段と、操作入力手段によりユーザから入力された、検索を実行する番組を指定する情報および検索キーとなるテキスト情報と、メタデータ記憶手段により記憶されたメタデータとのマッチング処理を実行して、検索キーとなるテキスト情報に対応する第２の時刻情報を検出するマッチング処理手段と、録画データ記憶制御手段により記憶が制御されている録画データから、マッチング処理手段により検出された第２の時刻情報に対応する記録位置を検索し、検索された記録位置から開始される録画データを読み出す検索手段とを備えることを特徴とする。
また、本発明の更に別の情報処理システムは、テキスト情報を検索キーとして、録画データを検索する第２の情報処理装置で実行される検索処理に利用されるメタデータを生成する第３の情報処理装置によって構成される情報処理システムにおいて、第２の情報処理装置は、第１の時刻情報と、放送信号を取得して処理する第１の情報処理装置で取得され処理される放送信号の番組を固有に区別可能な区別情報とが付加された録画データの記憶を制御する録画データ記憶制御手段と、暗号化されたメタデータを取得するメタデータ取得手段と、暗号化されたメタデータを復号するために用いられる復号鍵を取得する復号鍵取得手段と、メタデータ取得手段により取得された暗号化されたメタデータを、復号鍵取得手段により取得された復号鍵を用いて復号する復号処理手段と、復号処理手段により復号された、録画データの番組を区別するための区別情報、録画データに関するテキストデータ、および、テキストデータに対応する第２の時刻情報を含むメタデータを記憶するメタデータ記憶手段と、ユーザの操作入力を受ける操作入力手段と、操作入力手段によりユーザから入力された、検索を実行する番組を指定する情報および検索キーとなるテキスト情報と、メタデータ記憶手段により記憶されたメタデータとのマッチング処理を実行して、検索キーとなるテキスト情報に対応する第２の時刻情報を検出するマッチング処理手段と、録画データ記憶制御手段により記憶が制御されている録画データから、マッチング処理手段により検出された第２の時刻情報に対応する記録位置を検索し、検索された記録位置から開始される録画データを読み出す検索手段とを備え、第３の情報処理装置は、放送信号を取得する第２の放送信号取得手段と、第２の放送信号取得手段により取得された放送信号に含まれる音声信号をデコードする音声データデコード手段と、第２の放送信号取得手段により取得された放送信号から、放送信号の番組を固有に区別可能な区別情報を取得する第２の区別情報取得手段と、第２の放送信号取得手段により取得された放送信号から、ユーザにより表示するか否かを選択することが可能な字幕データを抽出してデコードする字幕データデコード手段と、音声データデコード手段によりデコードされた音声データと字幕データデコード手段によりデコードされた字幕データに対応するテキストデータのそれぞれの開始時刻を比較し、比較結果を基に、テキストデータにタイムコードを付加するタイムコード付加手段と、タイムコード付加手段によりタイムコードが付加されたテキストデータに、第２の区別情報取得手段により取得された区別情報を付加して、メタデータを生成するメタデータ生成手段と、メタデータ生成手段により生成されたメタデータを暗号化する暗号化手段とを備えることを特徴とする。
また、本発明の更に別の情報処理システムは、テキスト情報を検索キーとして、録画データを検索する第２の情報処理装置で実行される検索処理に利用されるメタデータを復号する復号鍵を供給する第４の情報処理装置によって構成される情報処理システムにおいて、第２の情報処理装置は、第１の時刻情報と、放送信号を取得して処理する第１の情報処理装置で取得され処理される放送信号の番組を固有に区別可能な区別情報とが付加された録画データの記憶を制御する録画データ記憶制御手段と、暗号化されたメタデータを取得するメタデータ取得手段と、暗号化されたメタデータを復号するために用いられる復号鍵を取得する復号鍵取得手段と、メタデータ取得手段により取得された暗号化されたメタデータを、復号鍵取得手段により取得された復号鍵を用いて復号する復号処理手段と、復号処理手段により復号された、録画データの番組を区別するための区別情報、録画データに関するテキストデータ、および、テキストデータに対応する第２の時刻情報を含むメタデータを記憶するメタデータ記憶手段と、ユーザの操作入力を受ける操作入力手段と、操作入力手段によりユーザから入力された、検索を実行する番組を指定する情報および検索キーとなるテキスト情報と、メタデータ記憶手段により記憶されたメタデータとのマッチング処理を実行して、検索キーとなるテキスト情報に対応する第２の時刻情報を検出するマッチング処理手段と、録画データ記憶制御手段により記憶が制御されている録画データから、マッチング処理手段により検出された第２の時刻情報に対応する記録位置を検索し、検索された記録位置から開始される録画データを読み出す検索手段とを備え、第４の情報処理装置は、第２の情報処理装置から、ユーザの認証に関する情報を取得する認証情報取得手段と、ユーザの登録情報の記憶を制御する登録情報記憶制御手段と、認証情報取得手段により取得されたユーザの認証に関する情報、および、登録情報記憶制御手段により記憶が制御されているユーザの登録情報を基に、認証処理を実行する認証処理手段と、認証処理手段によりユーザが正しく認証された場合、第２の情報処理装置への、メタデータを復号する復号鍵の供給を制御する復号鍵供給制御手段とを備えることを特徴とする。
また、本発明の更に別の情報処理システムは、放送信号を取得して処理する第１の情報処理装置と、テキスト情報を検索キーとして、録画データを検索する第２の情報処理装置と、第２の情報処理装置で実行される検索処理に利用されるメタデータを生成する第３の情報処理装置とによって構成される情報処理システムにおいて、第１の情報処理装置は、放送信号を取得する第１の放送信号取得手段と、第１の放送信号取得手段により取得された放送信号から、放送信号の番組を固有に区別可能な区別情報を取得する第１の区別情報取得手段と、第１の放送信号取得手段により取得された放送信号に、第１の時刻情報と、第１の区別情報取得手段により取得された区別情報とを付加して録画データを生成する情報付加手段とを備え、第２の情報処理装置は、第１の時刻情報と区別情報とが付加された録画データの記憶を制御する録画データ記憶制御手段と、暗号化されたメタデータを取得するメタデータ取得手段と、暗号化されたメタデータを復号するために用いられる復号鍵を取得する復号鍵取得手段と、メタデータ取得手段により取得された暗号化されたメタデータを、復号鍵取得手段により取得された復号鍵を用いて復号する復号処理手段と、復号処理手段により復号された、録画データの番組を区別するための区別情報、録画データに関するテキストデータ、および、テキストデータに対応する第２の時刻情報を含むメタデータを記憶するメタデータ記憶手段と、ユーザの操作入力を受ける操作入力手段と、操作入力手段によりユーザから入力された、検索を実行する番組を指定する情報および検索キーとなるテキスト情報と、メタデータ記憶手段により記憶されたメタデータとのマッチング処理を実行して、検索キーとなるテキスト情報に対応する第２の時刻情報を検出するマッチング処理手段と、録画データ記憶制御手段により記憶が制御されている録画データから、マッチング処理手段により検出された第２の時刻情報に対応する記録位置を検索し、検索された記録位置から開始される録画データを読み出す検索手段とを備え、第３の情報処理装置は、放送信号を取得する第２の放送信号取得手段と、第２の放送信号取得手段により取得された放送信号に含まれる音声信号をデコードする音声データデコード手段と、第２の放送信号取得手段により取得された放送信号から、放送信号の番組を固有に区別可能な区別情報を取得する第２の区別情報取得手段と、第２の放送信号取得手段により取得された放送信号から、ユーザにより表示するか否かを選択することが可能な字幕データを抽出してデコードする字幕データデコード手段と、音声データデコード手段によりデコードされた音声データと字幕データデコード手段によりデコードされた字幕データに対応するテキストデータのそれぞれの開始時刻を比較し、比較結果を基に、テキストデータにタイムコードを付加するタイムコード付加手段と、タイムコード付加手段によりタイムコードが付加されたテキストデータに、第２の区別情報取得手段により取得された区別情報を付加して、メタデータを生成するメタデータ生成手段と、メタデータ生成手段により生成されたメタデータを暗号化する暗号化手段とを備えることを特徴とする。
また、本発明の更に別の情報処理システムは、放送信号を取得して処理する第１の情報処理装置と、テキスト情報を検索キーとして、録画データを検索する第２の情報処理装置と、第２の情報処理装置で実行される検索処理に利用されるメタデータを生成する第３の情報処理装置と、第２の情報処理装置で実行される検索処理に利用されるメタデータを復号する復号鍵を供給する第４の情報処理装置とによって構成され、第１の情報処理装置が、放送信号を取得する第１の放送信号取得手段と、第１の放送信号取得手段により取得された放送信号から、放送信号の番組を固有に区別可能な区別情報を取得する第１の区別情報取得手段と、第１の放送信号取得手段により取得された放送信号に、第１の時刻情報と、第１の区別情報取得手段により取得された区別情報とを付加して録画データを生成する情報付加手段とを備え、第２の情報処理装置が、第１の時刻情報と区別情報とが付加された録画データの記憶を制御する録画データ記憶制御手段と、暗号化されたメタデータを取得するメタデータ取得手段と、暗号化されたメタデータを復号するために用いられる復号鍵を取得する復号鍵取得手段と、メタデータ取得手段により取得された暗号化されたメタデータを、復号鍵取得手段により取得された復号鍵を用いて復号する復号処理手段と、復号処理手段により復号された、録画データの番組を区別するための区別情報、録画データに関するテキストデータ、および、テキストデータに対応する第２の時刻情報を含むメタデータを記憶するメタデータ記憶手段と、ユーザの操作入力を受ける操作入力手段と、操作入力手段によりユーザから入力された、検索を実行する番組を指定する情報および検索キーとなるテキスト情報と、メタデータ記憶手段により記憶されたメタデータとのマッチング処理を実行して、検索キーとなるテキスト情報に対応する第２の時刻情報を検出するマッチング処理手段と、録画データ記憶制御手段により記憶が制御されている録画データから、マッチング処理手段により検出された第２の時刻情報に対応する記録位置を検索し、検索された記録位置から開始される録画データを読み出す検索手段とを備え、第３の情報処理装置が、放送信号を取得する第２の放送信号取得手段と、第２の放送信号取得手段により取得された放送信号に含まれる音声信号をデコードする音声データデコード手段と、第２の放送信号取得手段により取得された放送信号から、放送信号の番組を固有に区別可能な区別情報を取得する第２の区別情報取得手段と、第２の放送信号取得手段により取得された放送信号から、ユーザにより表示するか否かを選択することが可能な字幕データを抽出してデコードする字幕データデコード手段と、音声データデコード手段によりデコードされた音声データと字幕データデコード手段によりデコードされた字幕データに対応するテキストデータのそれぞれの開始時刻を比較し、比較結果を基に、テキストデータにタイムコードを付加するタイムコード付加手段と、タイムコード付加手段によりタイムコードが付加されたテキストデータに、第２の区別情報取得手段により取得された区別情報を付加して、メタデータを生成するメタデータ生成手段と、メタデータ生成手段により生成されたメタデータを暗号化する暗号化手段とを備え、第４の情報処理装置が、第２の情報処理装置から、ユーザの認証に関する情報を取得する認証情報取得手段と、ユーザの登録情報の記憶を制御する登録情報記憶制御手段と、認証情報取得手段により取得されたユーザの認証に関する情報、および、登録情報記憶制御手段により記憶が制御されているユーザの登録情報を基に、認証処理を実行する認証処理手段と、認証処理手段によりユーザが正しく認証された場合、第２の情報処理装置への、メタデータを復号する復号鍵の供給を制御する復号鍵供給制御手段とを備えることを特徴とする。
【手続補正３】
【補正対象書類名】明細書
【補正対象項目名】００３２
【補正方法】変更
【補正の内容】
【００３２】
請求項６の情報処理システムは、放送信号を取得して処理する第１の情報処理装置（例えば、図３の表示選択字幕デコーダ３）と、テキスト情報を検索キーとして、録画データを検索する第２の情報処理装置（例えば、図３のホームサーバ４）とによって構成される情報処理システムであって、第１の情報処理装置は、放送信号を取得する第１の放送信号取得手段（例えば、図３の入力端子２１−１および２１−２）と、第１の放送信号取得手段により取得された放送信号から、放送信号の番組を固有に区別可能な区別情報（例えば、番組ＩＤ）を取得する第１の区別情報取得手段（例えば、図３の番組ＩＤ情報抽出部３９）と、第１の放送信号取得手段により取得された放送信号に、第１の時刻情報（たとえば、図４の録画開始時刻情報９５）と、第１の区別情報取得手段により取得された区別情報とを付加して録画データを生成する情報付加手段（例えば、図３の出力信号生成部３３）とを備え、第２の情報処理装置は、録画データの番組を区別するための区別情報（例えば、図８の番組ＩＤ１６７）、録画データに関するテキストデータ（例えば、図８のテキストデータ１６５）、および、テキストデータに対応する第２の時刻情報（例えば、図８のタイムコード１６６）を含むメタデータ（例えば、図８のメタデータ１６１）を記憶するメタデータ記憶手段（例えば、図３のメタデータ記憶部７８）と、第１の時刻情報と区別情報とが付加された録画データの記憶を制御する録画データ記憶制御手段（例えば、図３の録画データ記憶部７２）とを備えることを特徴とする。
ユーザの操作入力を受ける操作入力手段（例えば、図３の操作入力部７１）と、操作入力手段によりユーザから入力された、検索を実行する番組を指定する情報および検索キーとなるテキスト情報と、メタデータ記憶手段により記憶されたメタデータとのマッチング処理を実行して、検索キーとなるテキスト情報に対応する第２の時刻情報を検出するマッチング処理手段（例えば、図３のマッチング処理部７９）と、録画データ記憶制御手段により記憶が制御されている録画データから、マッチング処理手段により検出された第２の時刻情報に対応する記録位置を検索し、検索された記録位置から開始される録画データを読み出す検索手段（例えば、図３の録画データ検索出力部８０）を更に備えることができる。
請求項８の情報処理システムは、放送信号を取得して処理する第１の情報処理装置（例えば、図３の表示選択字幕デコーダ３）と、テキスト情報を検索キーとして、録画データを検索する第２の情報処理装置（例えば、図３のホームサーバ４）とによって構成される情報処理システムであって、第１の情報処理装置は、放送信号を取得する第１の放送信号取得手段（例えば、図３の入力端子２１−１および２１−２）と、第１の放送信号取得手段により取得された放送信号から、放送信号の番組を固有に区別可能な区別情報（例えば、番組ＩＤ）を取得する第１の区別情報取得手段（例えば、図３の番組ＩＤ情報抽出部３９）と、第１の放送信号取得手段により取得された放送信号に、第１の時刻情報（たとえば、図４の録画開始時刻情報９５）と、第１の区別情報取得手段により取得された区別情報とを付加して録画データを生成する情報付加手段（例えば、図３の出力信号生成部３３）とを備え、第２の情報処理装置は、第１の時刻情報と区別情報とが付加された録画データの記憶を制御する録画データ記憶制御手段（例えば、図３の録画データ記憶部７２）と、暗号化されたメタデータを取得するメタデータ取得手段（例えば、図３のネットワークインターフェース７３）と、暗号化されたメタデータを復号するために用いられる復号鍵を取得する復号鍵取得手段（例えば、図３のネットワークインターフェース７３）と、メタデータ取得手段により取得された暗号化されたメタデータを、復号鍵取得手段により取得された復号鍵を用いて復号する復号処理手段（例えば、図３の復号処理部７７）と、復号処理手段により復号された、録画データの番組を区別するための区別情報（例えば、図８の番組ＩＤ１６７）、録画データに関するテキストデータ（例えば、図８のテキストデータ１６５）、および、テキストデータに対応する第２の時刻情報（例えば、図８のタイムコード１６６）を含むメタデータ（例えば、図８のメタデータ１６１）を記憶するメタデータ記憶手段（例えば、図３のメタデータ記憶部７８）と、ユーザの操作入力を受ける操作入力手段（例えば、図３の操作入力部７１）と、操作入力手段によりユーザから入力された、検索を実行する番組を指定する情報および検索キーとなるテキスト情報と、メタデータ記憶手段により記憶されたメタデータとのマッチング処理を実行して、検索キーとなるテキスト情報に対応する第２の時刻情報を検出するマッチング処理手段（例えば、図３のマッチング処理部７９）と、録画データ記憶制御手段により記憶が制御されている録画データから、マッチング処理手段により検出された第２の時刻情報に対応する記録位置を検索し、検索された記録位置から開始される録画データを読み出す検索手段（例えば、図３の録画データ検索出力部８０）とを備えることを特徴とする。
請求項９の情報処理システムは、録画データを検索する第２の情報処理装置で実行される検索処理に利用されるメタデータを生成する第３の情報処理装置（例えば、図５および図６のメタデータ作成サーバ６）によって構成される情報処理システムであって、第３の情報処理装置は、放送信号を取得する第２の放送信号取得手段（例えば、図６の放送データ取得部１４１）と、第２の放送信号取得手段により取得された放送信号に含まれる音声信号をデコードする音声データデコード手段（例えば、図６のデコーダ１４２）と、第２の放送信号取得手段により取得された放送信号から、放送信号の番組を固有に区別可能な区別情報（例えば、番組ＩＤ）を取得する第２の区別情報取得手段（例えば、図６の番組ＩＤ情報抽出部１４３）と、第２の放送信号取得手段により取得された放送信号から、ユーザにより表示するか否かを選択することが可能な字幕データ（例えば、図２の表示選択字幕データ１７）を抽出してデコードする字幕データデコード手段（例えば、図６の表示選択字幕データデコーダ１４５）と、音声データデコード手段によりデコードされた音声データと字幕データデコード手段によりデコードされた字幕データに対応するテキストデータのそれぞれの開始時刻を比較し、比較結果を基に、テキストデータにタイムコードを付加するタイムコード付加手段（例えば、図６のタイムコード付加処理部１４７）と、タイムコード付加手段によりタイムコードが付加されたテキストデータに、第２の区別情報取得手段により取得された区別情報を付加して、メタデータを生成するメタデータ生成手段（例えば、図６のメタデータ生成部１４４）と、メタデータ生成手段により生成されたメタデータを暗号化する暗号化手段（例えば、図６の暗号化処理部１４９）とを備えることを特徴とする。
請求項１０の情報処理システムは、テキスト情報を検索キーとして、録画データを検索する第２の情報処理装置で実行される検索処理に利用されるメタデータを復号する復号鍵を供給する第４の情報処理装置（例えば、図９および図１０の課金サーバ７）によって構成される情報処理システムであって、第４の情報処理装置は、第２の情報処理装置から、ユーザの認証に関する情報を取得する認証情報取得手段（例えば、図１０の操作入力情報取得部２０４）と、ユーザの登録情報の記憶を制御する登録情報記憶制御手段（例えば、図１０のユーザ情報データベース２０６）と、認証情報取得手段により取得されたユーザの認証に関する情報、および、登録情報記憶制御手段により記憶が制御されているユーザの登録情報を基に、認証処理を実行する認証処理手段（例えば、図１０の認証処理部２０７）と、認証処理手段によりユーザが正しく認証された場合、第２の情報処理装置への、メタデータを復号する復号鍵の供給を制御する復号鍵供給制御手段（例えば、図１０の鍵供給処理部２０８）とを備えることを特徴とする。
請求項１１の情報処理システムは、放送信号を取得して処理する第１の情報処理装置（例えば、図３の表示選択字幕デコーダ３）と、テキスト情報を検索キーとして、録画データを検索する第２の情報処理装置（例えば、図３のホームサーバ４）と、第２の情報処理装置で実行される検索処理に利用されるメタデータを生成する第３の情報処理装置（例えば、図５および図６のメタデータ作成サーバ６）とによって構成される情報処理システムであって、第１の情報処理装置は、放送信号を取得する第１の放送信号取得手段（例えば、図３の入力端子２１−１および２１−２）と、第１の放送信号取得手段により取得された放送信号から、放送信号の番組を固有に区別可能な区別情報（例えば、番組ＩＤ）を取得する第１の区別情報取得手段（例えば、図３の番組ＩＤ情報抽出部３９）と、第１の放送信号取得手段により取得された放送信号に、第１の時刻情報（たとえば、図４の録画開始時刻情報９５）と、第１の区別情報取得手段により取得された区別情報とを付加して録画データを生成する情報付加手段（例えば、図３の出力信号生成部３３）とを備え、第２の情報処理装置は、第１の時刻情報と区別情報とが付加された録画データの記憶を制御する録画データ記憶制御手段（例えば、図３の録画データ記憶部７２）と、暗号化されたメタデータを取得するメタデータ取得手段（例えば、図３のネットワークインターフェース７３）と、暗号化されたメタデータを復号するために用いられる復号鍵を取得する復号鍵取得手段（例えば、図３のネットワークインターフェース７３）と、メタデータ取得手段により取得された暗号化されたメタデータを、復号鍵取得手段により取得された復号鍵を用いて復号する復号処理手段（例えば、図３の復号処理部７７）と、復号処理手段により復号された、録画データの番組を区別するための区別情報（例えば、図８の番組ＩＤ１６７）、録画データに関するテキストデータ（例えば、図８のテキストデータ１６５）、および、テキストデータに対応する第２の時刻情報（例えば、図８のタイムコード１６６）を含むメタデータ（例えば、図８のメタデータ１６１）を記憶するメタデータ記憶手段（例えば、図３のメタデータ記憶部７８）と、ユーザの操作入力を受ける操作入力手段（例えば、図３の操作入力部７１）と、操作入力手段によりユーザから入力された、検索を実行する番組を指定する情報および検索キーとなるテキスト情報と、メタデータ記憶手段により記憶されたメタデータとのマッチング処理を実行して、検索キーとなるテキスト情報に対応する第２の時刻情報を検出するマッチング処理手段（例えば、図３のマッチング処理部７９）と、録画データ記憶制御手段により記憶が制御されている録画データから、マッチング処理手段により検出された第２の時刻情報に対応する記録位置を検索し、検索された記録位置から開始される録画データを読み出す検索手段（例えば、図３の録画データ検索出力部８０）とを備え、第３の情報処理装置は、放送信号を取得する第２の放送信号取得手段（例えば、図６の放送データ取得部１４１）と、第２の放送信号取得手段により取得された放送信号に含まれる音声信号をデコードする音声データデコード手段（例えば、図６のデコーダ１４２）と、第２の放送信号取得手段により取得された放送信号から、放送信号の番組を固有に区別可能な区別情報（例えば、番組ＩＤ）を取得する第２の区別情報取得手段（例えば、図６の番組ＩＤ情報抽出部１４３）と、第２の放送信号取得手段により取得された放送信号から、ユーザにより表示するか否かを選択することが可能な字幕データ（例えば、図２の表示選択字幕データ１７）を抽出してデコードする字幕データデコード手段（例えば、図６の表示選択字幕データデコーダ１４５）と、音声データデコード手段によりデコードされた音声データと字幕データデコード手段によりデコードされた字幕データに対応するテキストデータのそれぞれの開始時刻を比較し、比較結果を基に、テキストデータにタイムコードを付加するタイムコード付加手段（例えば、図６のタイムコード付加処理部１４７）と、タイムコード付加手段によりタイムコードが付加されたテキストデータに、第２の区別情報取得手段により取得された区別情報を付加して、メタデータを生成するメタデータ生成手段（例えば、図６のメタデータ生成部１４４）と、メタデータ生成手段により生成されたメタデータを暗号化する暗号化手段（例えば、図６の暗号化処理部１４９）とを備えることを特徴とする。
請求項１２の情報処理システムは、放送信号を取得して処理する第１の情報処理装置（例えば、図３の表示選択字幕デコーダ３）と、テキスト情報を検索キーとして、録画データを検索する第２の情報処理装置（例えば、図３のホームサーバ４）と、第２の情報処理装置で実行される検索処理に利用されるメタデータを生成する第３の情報処理装置（例えば、図５および図６のメタデータ作成サーバ６）と、第２の情報処理装置で実行される検索処理に利用されるメタデータを復号する復号鍵を供給する第４の情報処理装置（例えば、図９および図１０の課金サーバ７）とによって構成される情報処理システムであって、第１の情報処理装置は、放送信号を取得する第１の放送信号取得手段（例えば、図３の入力端子２１−１および２１−２）と、第１の放送信号取得手段により取得された放送信号から、放送信号の番組を固有に区別可能な区別情報（例えば、番組ＩＤ）を取得する第１の区別情報取得手段（例えば、図３の番組ＩＤ情報抽出部３９）と、第１の放送信号取得手段により取得された放送信号に、第１の時刻情報（たとえば、図４の録画開始時刻情報９５）と、第１の区別情報取得手段により取得された区別情報とを付加して録画データを生成する情報付加手段（例えば、図３の出力信号生成部３３）とを備え、第２の情報処理装置は、第１の時刻情報と区別情報とが付加された録画データの記憶を制御する録画データ記憶制御手段（例えば、図３の録画データ記憶部７２）と、暗号化されたメタデータを取得するメタデータ取得手段（例えば、図３のネットワークインターフェース７３）と、暗号化されたメタデータを復号するために用いられる復号鍵を取得する復号鍵取得手段（例えば、図３のネットワークインターフェース７３）と、メタデータ取得手段により取得された暗号化されたメタデータを、復号鍵取得手段により取得された復号鍵を用いて復号する復号処理手段（例えば、図３の復号処理部７７）と、復号処理手段により復号された、録画データの番組を区別するための区別情報（例えば、図８の番組ＩＤ１６７）、録画データに関するテキストデータ（例えば、図８のテキストデータ１６５）、および、テキストデータに対応する第２の時刻情報（例えば、図８のタイムコード１６６）を含むメタデータ（例えば、図８のメタデータ１６１）を記憶するメタデータ記憶手段（例えば、図３のメタデータ記憶部７８）と、ユーザの操作入力を受ける操作入力手段（例えば、図３の操作入力部７１）と、操作入力手段によりユーザから入力された、検索を実行する番組を指定する情報および検索キーとなるテキスト情報と、メタデータ記憶手段により記憶されたメタデータとのマッチング処理を実行して、検索キーとなるテキスト情報に対応する第２の時刻情報を検出するマッチング処理手段（例えば、図３のマッチング処理部７９）と、録画データ記憶制御手段により記憶が制御されている録画データから、マッチング処理手段により検出された第２の時刻情報に対応する記録位置を検索し、検索された記録位置から開始される録画データを読み出す検索手段（例えば、図３の録画データ検索出力部８０）とを備え、第３の情報処理装置は、放送信号を取得する第２の放送信号取得手段（例えば、図６の放送データ取得部１４１）と、第２の放送信号取得手段により取得された放送信号に含まれる音声信号をデコードする音声データデコード手段（例えば、図６のデコーダ１４２）と、第２の放送信号取得手段により取得された放送信号から、放送信号の番組を固有に区別可能な区別情報（例えば、番組ＩＤ）を取得する第２の区別情報取得手段（例えば、図６の番組ＩＤ情報抽出部１４３）と、第２の放送信号取得手段により取得された放送信号から、ユーザにより表示するか否かを選択することが可能な字幕データ（例えば、図２の表示選択字幕データ１７）を抽出してデコードする字幕データデコード手段（例えば、図６の表示選択字幕データデコーダ１４５）と、音声データデコード手段によりデコードされた音声データと字幕データデコード手段によりデコードされた字幕データに対応するテキストデータのそれぞれの開始時刻を比較し、比較結果を基に、テキストデータにタイムコードを付加するタイムコード付加手段（例えば、図６のタイムコード付加処理部１４７）と、タイムコード付加手段によりタイムコードが付加されたテキストデータに、第２の区別情報取得手段により取得された区別情報を付加して、メタデータを生成するメタデータ生成手段（例えば、図６のメタデータ生成部１４４）と、メタデータ生成手段により生成されたメタデータを暗号化する暗号化手段（例えば、図６の暗号化処理部１４９）とを備え、第４の情報処理装置は、第２の情報処理装置から、ユーザの認証に関する情報を取得する認証情報取得手段（例えば、図１０の操作入力情報取得部２０４）と、ユーザの登録情報の記憶を制御する登録情報記憶制御手段（例えば、図１０のユーザ情報データベース２０６）と、認証情報取得手段により取得されたユーザの認証に関する情報、および、登録情報記憶制御手段により記憶が制御されているユーザの登録情報を基に、認証処理を実行する認証処理手段（例えば、図１０の認証処理部２０７）と、認証処理手段によりユーザが正しく認証された場合、第２の情報処理装置への、メタデータを復号する復号鍵の供給を制御する復号鍵供給制御手段（例えば、図１０の鍵供給処理部２０８）とを備えることを特徴とする。